(57)【要約】【課題】強力な脱臭性能を発揮するとともに、装置のコンパクト化をはかった簡易トイレ装置を提供することを目的とする。【解決手段】臭いの吸い込み口７と吹き出し口８とを連結する風洞９の風路９ａ途中に複数の脱臭剤１１、１２を設けたものであり、複数の脱臭剤１１、１２により強力な脱臭性能を発揮するとともに、風洞９を利用して脱臭剤を組み込み、トイレ装置全体のコンパクト化がはかれたものである。【選択図】  図２
2004305299.tif 000002
【特許請求の範囲】
【請求項１】
便器上に載置された本体と、便器内の臭いを吸引捕集するファンと、前記本体前面に設けられファンにより臭いを吸い込む吸い込み口と、前記本体外方に吸気空気を排出する吹き出し口と、前記吸い込み口と吹き出し口とを連結する風洞と、前記風洞の風路途中に設けた複数の脱臭剤とを備えた簡易トイレ装置。
【請求項２】
複数の脱臭剤はその大きさを異ならせた請求項１に記載の簡易トイレ装置。
【請求項３】
風洞の最下面は、本体の最下面と略同一とした請求項１または２に記載の簡易トイレ装置。
【請求項４】
風洞の下部を、本体の下部ケースに設けた嵌合部に嵌合させてなる請求項３に記載の簡易トイレ装置。
【請求項５】
風洞は流路面積が変化する風路を有し、複数の脱臭剤は風路面積に対応させた請求項１〜４のいずれか１項に記載の簡易トイレ装置。
【請求項６】
風洞の風路を、臭いの流れ方向に沿って複数に分割し、各分割された風路には脱臭剤を設けた請求項１〜５のいずれか１項に記載の簡易トイレ装置。
【請求項７】
風洞には、洗浄水の噴出ノズルと洗浄水供給用の水ポンプを有する洗浄装置を設けた請求項１〜６のいずれか１項に記載の簡易トイレ装置。
【請求項８】
風洞には、水ポンプへの洗浄水供給用の配管中継部を一体に形成した請求項７に記載の簡易トイレ装置。
【発明の詳細な説明】
【０００１】
【発明の属する技術分野】
本発明は部屋内などで使用する簡易トイレ装置に関するものである。
【０００２】
【従来の技術】
現在高齢化が進むにつれて、介護用品技術の更なる発展が求められている。その中の一つとして、簡易トイレ装置としては、一般の部屋で使用されるケースが多いため、特に脱臭機能を重視している（例えば、特許文献１参照）。これは、排出物より出される臭気をファンにて吸引し、オゾン発生器にて臭い成分を分解し、さらにファン周辺の活性炭フィルターで脱臭するものである。
【０００３】
【特許文献１】
特開２０００−３７３２１号公報
【０００４】
【発明が解決しようとする課題】
しかしながら、前記従来の構成では、強力な脱臭性能を求めると、ファン、オゾン発生器および活性炭フィルターなどが占めるスペースが大きくなり、簡易トイレ装置が大型化する課題があった。
【０００５】
本発明は、前記従来の課題を解決するもので、強力な脱臭性能を発揮するとともに、装置のコンパクト化をはかった簡易トイレ装置を提供することを目的とする。
【０００６】
【課題を解決するための手段】
前記従来の課題を解決するために、本発明の簡易トイレ装置は、臭いの吸い込み口と吹き出し口とを連結する風洞の風路途中に複数の脱臭剤を設けたものである。
【０００７】
これにより、複数の脱臭剤により強力な脱臭性能を発揮するとともに、風洞を利用して脱臭剤を組み込み、トイレ装置全体のコンパクト化がはかれた。
【０００８】
【発明の実施の形態】
請求項１に記載の発明は、便器上に載置された本体と、便器内の臭いを吸引捕集するファンと、前記本体前面に設けられファンにより臭いを吸い込む吸い込み口と、前記本体外方に吸気空気を排出する吹き出し口と、前記吸い込み口と吹き出し口とを連結する風洞と、前記風洞の風路途中に設けた複数の脱臭剤とを備えた簡易トイレ装置とすることにより、複数の脱臭剤により強力な脱臭性能を発揮するとともに、風洞を利用して脱臭剤を組み込み、トイレ装置全体のコンパクト化がはかれたものである。
【０００９】
請求項２に記載の発明は、複数の脱臭剤はその大きさを異ならせた請求項１に記載の簡易トイレ装置とすることにより、複数の脱臭剤は臭いの種類などに対応して強力な脱臭性能を発揮するものである。
【００１０】
請求項３に記載の発明は、風洞の最下面は、本体の最下面と略同一とした請求項１または２に記載の簡易トイレ装置とすることにより、風洞を設けたことによるトイレ装置の大型化を抑えることができる。
【００１１】
請求項４に記載の発明は、風洞の下部を、本体の下部ケースに設けた嵌合部に嵌合させてなる請求項３に記載の簡易トイレ装置とすることにより、風洞を設けたことによるトイレ装置の大型化を抑えることができるとともに風洞の設置が確実、容易となるものである。
【００１２】
請求項５に記載の発明は、風洞は流路面積が変化する風路を有し、複数の脱臭剤は風路面積に対応させた請求項１〜４のいずれか１項に記載の簡易トイレ装置とすることにより、複数の脱臭剤による強力な脱臭性能を最大限に発揮することができるものである。
【００１３】
請求項６に記載の発明は、風洞の風路を、臭いの流れ方向に沿って複数に分割し、各分割された風路には脱臭剤を設けた請求項１〜５のいずれか１項に記載の簡易トイレ装置とすることにより、さらに脱臭性能を最大限に発揮することができるものである。
【００１４】
請求項７に記載の発明は、風洞には、洗浄水の噴出ノズルと洗浄水供給用の水ポンプを有する洗浄装置を設けた請求項１〜６のいずれか１項に記載の簡易トイレ装置とすることにより、風洞を利用して洗浄装置をコンパクトにまとめることができる。
【００１５】
請求項８に記載の発明は、風洞には、水ポンプへの洗浄水供給用の配管中継部を一体に形成した請求項７に記載の簡易トイレ装置とすることにより、コンパクトな構成で本体の外部から水ポンプへ洗浄水を供給することができる。
【００１６】
【実施例】
以下、本発明の実施例について、図面を参照しながら説明する。
【００１７】
（実施例１）
図１〜図３は本発明の実施例１における簡易トイレ装置を示すものである。
【００１８】
図１において、１は便器であり、ここでは人体が排出する汚物を受けるすべての容器をいい、例えば、ポータブル式のバケツなども含まれる。２は便器１上に着座するための便座である。３は便座２の後方から一部側部に位置して便器１上に載置された本体である。４は便器１、便座２、本体３などのトイレ装置を装備したトイレ椅子である。
【００１９】
そして、図２に示すように、前記本体３には、人体から排出された便器１内の排出物６からの臭いを吸引捕集するファン５と、前記本体３前面で便器１内に臨んで設けられファン５により臭いを吸い込む吸い込み口７と、前記本体３外方に吸気空気を排出する吹き出し口８と、前記吸い込み口７と吹き出し口８とを連結する風洞９と、前記風洞９の風路９ａ途中に設けた、フィルタ１０、複数の脱臭剤１１、１２とを備えたものである。
【００２０】
前記フィルタ１０と複数の脱臭剤１１、１２は臭いの流れＡに対して順次配置されており、脱臭剤１１、１２はその大きさを異ならせ、臭いの種類などに対応して強力な脱臭性能を発揮するよう配慮されている。また、脱臭剤１１は、吸い込み口７と方向を変えた状態（例えば、略９０°）で配置されており、洗浄中に跳ね上がった水が風洞９内に侵入したとしても、水がかかりにくいように配置されている。
【００２１】
また、図３に示すように、風洞９の最下面は、本体３の最下面と略同一となるように、下部９ｂを部分的に下方へ突出させ、本体３の下部ケース１３に設けた嵌合部１３ａに嵌合させている。これにより、風洞９を設けたことによるトイレ装置の大型化を抑えることができるとともに風洞９の設置が位置決めされ確実、容易となるものである。
【００２２】
次に、本実施例における簡易トイレ装置の脱臭動作について説明する。
【００２３】
便器１内の人体から排出された排出物６からの臭気は、流れＡに示すように、本体１前面の吸い込み口７から吸引され、フィルタ１０を通過し、吸い込み口７から吸込み方向に対し方向を変えた状態で脱臭剤１１、１２を通り、吹き出し口８から放出される。この時、脱臭剤１１、１２は大きさが異なっており、臭いの種類などに対応して強力な脱臭性能を発揮させることができる。例えば、要介護者の多くは様々な薬を多用するケースが多く、排出物６に薬の臭いが混ざっていることが多いため、脱臭剤１１で便の臭いを、脱臭剤１２で薬などの便以外の臭いを除去し、全体として強力な脱臭性能を得るようなことが可能である。
【００２４】
このように、本実施例では、複数の脱臭剤１１、１２により強力な脱臭性能を発揮するとともに、風洞９を利用して脱臭剤を組み込み、トイレ装置全体のコンパクト化がはかれるものである。なお、風洞９と脱臭剤１１、１２はユニットとして扱うことができ、管理も間単になものである。
【００２５】
（実施例２）
次に、図４に基づき、本発明の実施例２における簡易トイレ装置について説明する。実施例１と基本的には同じであるので、相違点についてのみ説明する。
【００２６】
本実施例では、風洞９の脱臭剤１２が位置する下部９ｂを全体的に下方へ突出させ、本体３の下部ケース１３に設けた嵌合部１３ａに嵌合させている。これにより、結果的に、風洞９の風路９ａは、脱臭剤１２が位置する流路面積が大きくなるよう変化しており、また、脱臭剤１２もそれに対応した大きさとなっているものである。
【００２７】
このように、本実施例では、風洞９の風路９ａ形状、および脱臭剤１２の形状により、実施例１におけると同様な効果が得られるとともに、脱臭性能を最大限に発揮することができるものである。
【００２８】
（実施例３）
次に、図５に基づき、本発明の実施例３における簡易トイレ装置について説明する。実施例１、２と基本的には同じであるので、相違点についてのみ説明する。
【００２９】
本実施例では、風洞９の風路９ａ内を、例えば、仕切り１４により、臭いの流れＡに沿った形で上下あるいは左右に複数に分割し、その分割した各風路９ａ内に脱臭剤１１ａ、１１ｂを設けたものである。これにより、例えば、複雑な形状の風洞９ａであっても、その風路９ａに合わせて脱臭剤１１ａ、１１ｂを最大限、使用することができるとともに、多様な脱臭剤を使用することも可能となるものである。なお、仕切り１４の設置位置は、風洞９内のあらゆる部分で可能であり、脱臭剤１２を分割するようにすることもできるものである。
【００３０】
このように、本実施例では、風洞９の風路９ａを複数に分割し、その分割した各風路９ａ内に脱臭剤を設けることにより、さらに脱臭性能を最大限に発揮することができるものである。
【００３１】
（実施例４）
次に、図６、図７に基づき、本発明の実施例４における簡易トイレ装置について説明する。実施例１〜３と基本的には同じであるので、相違点についてのみ説明する。
【００３２】
本実施例では、風洞９の上部には、人体局部へ洗浄水を噴出する噴出ノズル１５と洗浄水供給用の水ポンプ１６と温水タンク１７などを有する洗浄装置１８を設けている。噴出ノズル１５と温水タンク１７はノズル給水ホース１９で、水ポンプ１６と温水タンク１７はタンク給水ホース２０でそれぞれ連絡されている。また、水ポンプ１６は緩衝部材２１を介して風洞９に取り付けられている。さらに、風洞９には、本体３の外部から水ポンプ１６への洗浄水供給用の配管中継部２２を一体に形成しており、水ポンプ１６とポンプ給水ホース２３を介して接続している。
【００３３】
このように、本実施例では、風洞９を利用して洗浄装置１８をコンパクトにまとめることができるとともに、本体３の外部から水ポンプ１６へ洗浄水を供給することができる。したがって、簡易トイレ装置として、脱臭機能と洗浄機能を併せ持ったコンパクトな装置が提供できる。
【００３４】
【発明の効果】
以上のように、本発明の簡易トイレ装置によれば、複数の脱臭剤により強力な脱臭性能を発揮するとともに、風洞を利用して脱臭剤を組み込み、トイレ装置全体のコンパクト化がはかれたものである。
【図面の簡単な説明】
【図１】本発明の実施例１における簡易トイレ装置の斜視図
【図２】同簡易トイレ装置における脱臭装置の概略構成を示す側断面図
【図３】同脱臭装置の下面図
【図４】本発明の実施例２における簡易トイレ装置の脱臭装置を示す断面図
【図５】本発明の実施例３における簡易トイレ装置の脱臭装置を示す断面図
【図６】本発明の実施例４における簡易トイレ装置の洗浄装置を示す平面図
【図７】同洗浄装置の水ポンプ部を示す断面図
【符号の説明】
１  便器
２  便座
３  本体
５  ファン
７  吸い込み口
８  吹き出し口
９  風洞
９ａ  風路
９ｂ  風路の下部
１１、１２  脱臭剤
１３  下部ケース
１３ａ  嵌合部
１４  仕切り
１５  噴出ノズル
１６  水ポンプ
１８  洗浄装置
２２  配管中継部
【図１】
2004305299.tif 000003
【図２】
2004305299.tif 000004
【図３】
2004305299.tif 000005
【図４】
2004305299.tif 000006
【図５】
2004305299.tif 000007
【図６】
2004305299.tif 000008
【図７】
2004305299.tif 000009